(57)【要約】【課題】  現地に搬入して組み立てることで、自然環境を破壊することなく、居住性の優れた居住空間が得られる建物を提供する。【解決手段】  所定形状の積層板材を接合してなる、各種の形状の面状パネルの縁辺同士を接合してパネルフレーム２０を構築する。このパネルフレーム２０は、所定高さに支持する鉛直支持するベース部材３，４と、パネルフレーム２０の安定を図るアンカーケーブル５とを備えた基礎２で地盤上１で支持する。さらに、パネルフレーム２０の各外面を、テント用帆布等からなる面材１１，１３，１４で覆う。居住空間には、自然環境に配慮した内装設備、外装設備を設ける。【選択図】  図１
2013238080.tif 000002
【特許請求の範囲】
【請求項１】
板材を接合してなる所定形状の面状パネルの縁辺同士を接合して構成され、内部居住空間が確保されたモノコック構造をなすパネルフレームと、
該パネルフレームを所定高さに支持する基礎部材と、
前記パネルフレームの各外面を覆うように取り付けられた面材とを備えたことを特徴とするモバイルキットハウス。
【請求項２】
前記面状パネルは、合板間に補剛材を所定位置に積層してなる所定形状の積層板材を端面接合して構成するようにしたを特徴とする請求項１に記載のモバイルキットハウス。
【請求項３】
前記パネルフレームは、所定間隔をあけた２枚の側面パネル間に、該側面パネルの縁辺に沿って各面状パネルが接合され、外面パネルが構成されたことを特徴とする請求項１または請求項２に記載のモバイルキットハウス。
【請求項４】
前記基礎部材は、前記パネルフレームを鉛直支持するベース部と、前記パネルフレームの安定を図るアンカーケーブルとを備えたことを特徴とする請求項１に記載のモバイルキットハウス。
【請求項５】
前記パネルフレームのうち、前面パネルの一部にヒンジ部を設け、該ヒンジ部を介して前記前面パネルと前面パネルに接合された屋根パネルの一部とが折り畳み可能なことを特徴とする請求項１に記載のモバイルキットハウス。
【請求項６】
前記パネルフレームは、前記前面パネルと前面パネルに接合された屋根パネルの一部とが折り畳まれ、格納された状態でカバーで覆われ、保管されるようにしたことを特徴とする請求項５に記載のモバイルキットハウス。
【請求項７】
前記基礎部材は、浮力を有するフロートで支持され、該フロートを介して水上に浮かせて移動、あるいは水上で係留可能なことを特徴とする請求項１記載のモバイルキットハウス。
【請求項８】
前記基礎部材は、スレッドで支持され、該スレッドを介して雪上を移動し、前記スレッドを雪面に固定支持させて、雪上に設置可能なことを特徴とする請求項１記載のモバイルキットハウス。
【発明の詳細な説明】
【技術分野】
【０００１】
本発明はモバイルキットハウスに係り、持ち運び可能な軽量板材を集合・連結したパネル集合体からなるモノコック構造の建物構造を構築し、それにテント等の外装を施して、たとえばインフラ整備されていない地域等において構築した場合でも、居住性の優れた居住空間が得られ、また解体・移築が容易なモバイルキットハウスに関する。
【背景技術】
【０００２】
自然とのふれあいを感じながら数日を過ごすには、既存の別荘やバンガローを利用したり、キャンプサイト等にテントを組みたてて居住するのが一般的である。別荘は、規模の差こそあれ、一般建築物であるため、基礎、躯体、外装、内装、外構の各工事を行うため、一定の範囲の自然環境を破壊して開発を行うことを前提としている。また、いったん建築したら、移築することはない。そのため、定住型の楽しみしか味わえない。バンガローも簡易的な宿泊、居住施設であり、定置建築物として、キャンプ場等に複数棟を建築し、レンタルするような利用形態で使用されている。したがって、自由に色々な場所に建てて、そこの自然の中で居住できるような柔軟性はない。
【０００３】
一方、テントは、もっともポピュラーな居住のためのキャンピング用品であり、各地のキャンプ場において、車等が横付けできるテントサイト等の整地された区画に、テントを張って居住することができる。テントの大きさは様々であり、大きなものではテント内に簡易な組立ベッドを設備し、居住性を高めることもできる。しかし、テント内の寝起きは地面近くの空間になるため、地面からの湿気や、外気の寒暖の影響を直接受けやすく、別荘やバンガローに比べて居住性が劣ることは周知のことである。
【０００４】
このようなテントの居住性の改善を図り、基礎の整地等が不要である組立式家屋が提案されている（特許文献１）。この組立式家屋は、地盤上に立設させた基礎上に床ユニット、壁ユニットを構築し、傘状のテント屋根を壁ユニット上に展開することで、簡易な組立手順により、いわゆる高床式の簡易家屋を構築するようになっている。
【先行技術文献】
【特許文献】
【０００５】
【特許文献１】特開平８−２８４２５５号公報
【発明の概要】
【発明が解決しようとする課題】
【０００６】
特許文献１に開示された組立式家屋は、内方支持手段１と呼ばれる中心軸を構成する基礎と、外方支持手段２とで不整地における床ユニットの水平性を確保するようになっている。床ユニットは内方支持手段１を中心位置とした扇型あるいは二等辺三角形の多数のユニットを放射状に配置して構成され、各外周端に壁ユニットが立設され、壁ユニットが周状に立設された後に、傘状体からなるテント屋根が被される構成からなっている。なお、積雪を考慮した場合、テント屋根の支持のため、建物の中心に支持棒（スノーポール）を立設して、屋根にかかる荷重を支持棒（傘状体の中心軸に相当）で負担することも考慮している。
【０００７】
このように、特許文献１に開示された組立式家屋は、複数の種類の組立部材を調整しながら接合して構成する集合体からなる。たとえば床ユニットの水平性を得るために、内方支持手段１を中心位置として複数の外方支持手段２とのレベル調整を複数箇所で行う必要がある。また、多数の異なる形状の部材を集合、連結させるため、各ジョイント部分が特殊な形状や構造となっている。そのため、各種工具を用いての組立てとなり、素人の利用者が現地で簡単に構築できる程度に、各構造部材の簡易化が図られていないという問題がある。また、建物のサイズが異なるごとに各部（部材、接合部等）の設計を行う必要があり、工場製造製品としての汎用性に欠けるという問題がある。
【０００８】
また、構造形式として、各部材はジョイント部のみで連結されているため、ジョイント部に相当程度の強度が求められる上、床構造、壁構造が一体的に外力に抵抗するような構造となっていない。また、屋根構造は単なる傘状体であり、床、壁とは分離した膜と膜支持材として設計されているため、床、壁、屋根が一体的な力学的挙動を示す構造物として機能していない。
【０００９】
そこで、本発明の目的は上述した従来の技術が有する問題点を解消し、軽量な積層板材を集合、連結してモノコック構造からなる建物構造を容易に構築でき、さらに内装設備、テント外装を施すことで居住性の優れたモバイルキットハウスを提供することにある。
【課題を解決するための手段】
【００１０】
上記目的を達成するために、本発明のモバイルキットハウスは、板材を接合してなる所定形状の面状パネルの縁辺同士を接合して構成され、所定の内部居住空間が確保されたモノコック構造をなすパネルフレームと、該パネルフレームを所定高さにおいて支持する基礎部材と、前記パネルフレームの各外面を覆うように取り付けられた面材とを備えたことを特徴とする。
【００１１】
前記面状パネルは、合板間に補剛材を所定位置に積層してなる所定形状の積層板材を端面接合して構成することが好ましい。
【００１２】
前記パネルフレームは、所定間隔をあけた２枚の側面パネル間に、該側面パネルの縁辺に沿って各面状パネルが接合され、外面パネルが構成されることが好ましい。
【００１３】
前記基礎部材は、前記パネルフレームを鉛直支持するベース部と、前記パネルフレームの安定を図るアンカーケーブルとからなることが好ましい。
【００１４】
前記パネルフレームのうち、前面パネルの一部にヒンジ部を設け、該ヒンジ部を介して前記前面パネルと前面パネルに接合された屋根パネルの一部とが折り畳み可能な構造とすることが好ましい。
【００１５】
前記パネルフレームは、前記前面パネルと前面パネルに接合された屋根パネルの一部とが折り畳まれ、格納された状態でカバーで覆われ、保管されることが好ましい。
【００１６】
前記基礎部材は、浮力を有するフロートで支持され、該フロートを介して水上に浮かせて移動、あるいは水上で係留することができる。
【００１７】
前記基礎部材は、スレッドで支持され、該スレッドを介して雪上を移動し、前記スレッドを雪面に固定支持させて、雪上に設置することができる。
【発明の効果】
【００１８】
本発明によれば、持ち運びが容易な軽量板材を集合、連結してパネルを組み立て、これらのパネル集合体で外面構造を構成したモノコック構造からなる、安定したキットハウスを容易に構築でき、さらに独立した内装設備や、テント等の外装を施すことで、居住性の向上が図られる。また、基礎を設置する場合も、地盤を掘削して基礎構築する等の自然破壊を引き起こすことなく、さらに解体、移築も容易に行え、省エネルギーに沿った簡易建物としてリゾート用途のみならず、被災時の簡易住居としての利用価値を発揮することも期待できる。また、給排水等の内装設備において、供給排出がクローズしたユニットを設置することで、ゼロエミッションの観点も優れた機能を有する。
【図面の簡単な説明】
【００１９】
【図１】本発明の第１の実施形態によるモバイルキットハウスの基本モジュールの概略構成を示した斜視図。
【図２】図１に示したモバイルキットハウスを構成するモノコック構造のパネルフレームを示した斜視図。
【図３】モノコック構造の側面パネルと、構成するエレメント部材とを示した側面図。
【図４】モノコック構造の屋根パネルと正面パネルの湾曲形状が分かるように示した説明図。
【図５】モノコック構造の補剛パネルと床パネルの平面形状が分かるように示した説明図。
【図６】床パネルを構成する部材形状と、積層状態と接合部状態を示した説明図。
【図７】正面パネルを構成する部材形状と、積層状態と接合部状態を示した説明図。
【図８】ノックダウン金具を用いた、パネル間の直角接合状態を示した断面図、端面図。
【図９】ノックダウン金具を用いた、パネル間の平面接合状態を示した断面図、端面図。
【図１０】本発明によるモバイルキットハウスの拡張例を示した説明図（平面図、正面図、設備概略レイアウト図）。
【図１１】図１０に示したモバイルキットハウスの設備配置例を示した側面図。
【図１２】本発明の第２の実施形態によるモバイルキットハウスの概略構成（組立て時、収納時）を示した斜視図。
【図１３】図１２に示したモバイルキットハウスの組立て時、収納時状態を示した側面図。
【図１４】第３の実施形態によるモバイルキットハウスの実施例を示した模式説明図。
【図１５】第３の実施形態によるモバイルキットハウスの他の実施例を示した模式説明図。
【発明を実施するための形態】
【００２０】
以下、本発明のモバイルキットハウスの実施の形態として、以下の実施例（実施形態）について添付図面を参照して説明する。
【実施例】
【００２１】
［第１の実施形態］
図１は、本発明のモバイルキットハウス（以下、単にキットハウスと略記する。）を組み立てた例を示した概略斜視図である。このキットハウス１０は、たとえば海岸付近の眺めの良い比較的堅固な地盤１上に設置された基礎２上に組み立てられている。
【００２２】
図１に示したキットハウス１０は、基本モジュールであり、説明のために内装設備等の図示は省略されている。このキットハウス１０は、図２に示した、モノコック構造のパネルフレームを基本構造として構成され、このパネルフレームを図１に示した基礎構造で地盤上に支持するようになっている。
【００２３】
本実施形態における基礎２は、円板状ベースプレート３に支持パイプ４が立設された２個の基礎ベースと、アンカーケーブル５とからなる。基礎ベース板は、パネルフレーム２０の床下パネルの側面に取付金物（図示せず）で、前後方向のほぼ中央位置に固定した構造からなる。この２本の支持パイプ４の取付位置を調整して地盤１の不陸に対するパネルフレーム２０の水平性を確保するように地盤１上に据える。さらに、パネルフレーム２０の前後方向に対しての安定性を図るために、アンカーケーブル５をパネルフレーム２０の四隅から地表面の定着点に張設する。このアンカーケーブル５は、一端がパネルフレーム２０の定着部に、他端が地表面位置に定着点としてのアイボルト６に定着され、中間位置に設けられたターンバックル８等の張力調整手段により支持パイプ４の鉛直性を調整することができる。この地表面側の定着点は、地中に固定されたアンカー体７の上端部で、アンカー体７の引き抜き耐力はアンカーケーブル５の張力以上に設定されている。なお、アンカー体７は地表面から打設した後に、地表面の定着点を取り付ける現場施工タイプの既製品で、地中の定着部まで掘り返せば回収でき、再利用可能な製品である。
【００２４】
次に、図２に示したパネルフレーム２０に対して付加された設備について、図１を参照して簡単に説明する。このキットハウス１０は、基本的にパネルフレーム２０を外装材としての布製の面材１１で覆う構造からなっている。本実施形態では、面材１１として、防水コーティングが施されたテント用帆布が使用され、所定箇所で接合してパネルフレーム２０の上部全体を覆うように使用されている。パネルフレーム２０の各面は平面ないしゆるい曲面で構成されているため、面材１１の形状、接合部もシンプルな形状となり、各面材１１の端辺同士を容易に接合できる。本実施形態では、接合部には防水性を有する線状ファスナーが用いられている。窓１２等のように、面材１１内での開閉可能な箇所では、部分的に重なり部を設けて面ファスナーを用いることも好ましい。図１では、キットハウス１０の出入り口側の面材１３は、巻き上げられて屋根部前面に束ねられ、キットハウス１０の前面が開放状態となっているが、夜間や寒い時期には、面材１３を下ろしてキットハウス前面を覆い、面材１３に形成された出入り口（図示せず）を通って出入りすることができる。
【００２５】
面材の素材としては、一般のテント用帆布の他、各種の柔軟な不燃性合成樹脂膜材や、ウェットスーツ等に用いられるクロロプレンゴム製膜材を、保温性、遮音性を保つために、部分的に使用してもよい。
【００２６】
他の面材を構成する外装材としては、設備を設置するための強度を有する支持部あるいは外観上のアクセントとなる壁面材として、外観形状にマッチした合板、不燃性石膏ボード、合成樹脂板等の板材を、取り外しできるようなワンタッチフック等でパネルフレーム２０に取り付けることも好ましい。図１には、側面パネルの腰板１４として板材を貼り付けた例が示されている。
【００２７】
本実施形態では、床面パネル２４（図２）上にフロア材１５が敷かれている。フロア材１５としては、質感を求めるためには木製としてもよいが、軽量化のために分割して敷設することが好ましい。また、合成樹脂製フロア材を用い、その上にカーペット等を敷くようにしてもよい。
（パネルフレームの構成）
【００２８】
以下、図２に示したパネルフレーム２０の構成と、構成部材の組立てについて、図３〜図９を参照して説明する。図２に示したパネルフレーム２０は、後述するように、同形あるいは略同形の２枚の合板間に補剛プレートを挟んで製作した積層板材を接合して所定のパネル状とした部材が最小ユニットとしてキットハウス１０を建てる現場に運搬され、組立に用いられる。
【００２９】
パネルフレーム２０を構成するパネルは、大別して２枚の同形（正確には構造物中心に対して対称形状）の積層板材を端面接合してパネル化した、側面パネル２１（図３）、屋根パネル２２（図４（ａ−１））、前面パネル２３（図４（ａ−２））、床面パネル２４（図６（ａ−１））、床下パネル２５（図６（ａ−２））、背面パネル２６、底面パネル２７とから構成されている。本実施形態では、個々のパネルは厚さ９mmの２枚の合板を、一部に補剛プレート（厚さ１２mm）を挟んで積層した構造からなり、大人ふたりで楽に運搬できる重量におさまっている。さらに、これらの各パネルは、部位に応じて平面形状あるいは曲面形状に加工されており、組立時には図２に示したように、図示しないノックダウン金物を用いて、各パネルの長辺同士、端面同士が精度良く密着するように接合され、その結果、図２に示したような全体が一体化したモノコック構造のパネルフレーム２０が完成する。以下、個々のパネルの特徴について、各図を参照して説明する。
【００３０】
（側面パネル）
側面パネル２１は、図２、図３に示したように、キットハウス１０の外観形状を決定する重要な外面パネル部材である。側面パネル２１は、キットハウス１０の外観デザインの面から、またモノコック構造としての機能から、やや丸味を帯びた形状となっている。本実施形態では、図３（ａ）に示した、各々異なった曲率で加工された複数枚の平面状の積層板材の端部を、図３（ｂ）に示したように接合して、平面形状パネルとしたものである。図２に示したように、２枚の側面パネル２１間にその他の後述する各パネルが接合される。側面パネル２１の内、床のレベル以下の積層板材２１ｄは基礎用の支持パイプ４および床下パネル２５を堅固に取り付けることができるように、所定の剛性を備えた面材形状に設計されている。
【００３１】
（屋根パネル、前面パネル、背面パネル、底面パネル）
図４各図は、屋根パネル２２と前面パネル２３の側面形状と平面形状とを示した図である。同図に示したように、これらパネルフレーム２０を構成する各パネルは、側面パネル２１に形成された対応する部位の曲率に合致するように曲げ加工された曲面パネルからなる。さらに、同図（ｂ−１），（ｂ−２）に示したように、中心線に関して対称な２枚の積層板材（２２ａ−２２ｂ，２３ａ−２３ｂ）を、端面接合して一体化して組み立てられている。図５（ａ）（ｂ）は、図４（ａ−２），（ｂ−２）に示した前面パネル２３を構成する接合前の積層板材の詳細構成を示している。一例として前面パネル２３は、図５（ｂ）に示したように、２枚の大きさの異なる合板２３ａ1，２３ａ2の間の複数箇所に補剛プレート２３Ｐを挟んで貼り合わせ、所定の曲率の曲面部材が製作されている。この積層板材２３ａの荷姿で、キットハウス１０の組立場所に搬入し、後述するノックダウン金物３０を用いて２枚の積層板材２３ａ，２３ｂを対称形状に端面接合して図４（ｂ−２）に示したような前面パネル２３を構成する。図４（ｂ−１）には２枚の積層板材２２ａ，２２ｂを端面接合して構成された屋根パネル２２の平面図が示されている。この屋根パネル２２も図４（ａ−１）に示したように、側面パネル２１の上辺の曲率と合致する曲率を有する曲面形になっている。これらの端面接合の詳細については、後述する。なお、背面パネル２６は図示していないが、前面パネル２３とほぼ同等の形状で、その曲率は側面パネル２１の背面側の辺の曲率と合致する曲率を有する。また底面パネル２７も図示していないが、屋根パネル２２とほぼ同等の形状で、側面パネル２１の底面の曲率と合致する曲率を有する。
【００３２】
（床面パネル、床下パネル）
図６各図は、床面パネル２４と床下パネル２５の側面形状と平面形状とを示した図である。同図に示したように、これらのパネルは、平面パネルとして製作されている。床面パネル２４は、図６（ｂ−１）に示したように、中心線に関して対称な２の積層板材（２４ａ−２４ｂ）を、端面接合して一体化して組み立てられている。図７は、図６（ｂ−２）に平面形状を示した床面パネル２４を構成する接合前の積層板材２４ｂの積層状態の詳細構成を示している。この床面パネル２４も積層板材２４ｂ（図７）の状態で、キットハウス１０の組立場所に搬入し、ノックダウン金物３０を用いて２枚の積層板材２４ａ，２４ｂを対称形状に端面接合して図６（ｂ−２）に示したようなパネルに組み立てられる。床下パネル２５は図６（ａ−２）に示したような単一の□形状部材からなり、両側端が側面パネル２１の一部に接合され、その上端で床面パネル２４の中間位置を下側から支持するとともに、床下空間の補剛および空間仕切り材の役割も果たしている。
【００３３】
（パネル接合部の構成）
上述した各パネルを用いて図２に示したモノコック構造のパネルフレーム２０を組みたてるために、本発明では図８各図、図９各図に示した接合構造を採用している。言い換えると、本発明ではこの２種類の接合形式のみによって図２に示したパネルフレーム２０を構築することができる。図８（ａ）は一例として一方のパネル２３の側面に対して、他方のパネル２４の端面を、Ｔ字形状に接合する接合構造の断面を示している。図８（ｂ）は、この２枚のパネル２３，２４の接合状態を示した端面図である。この２枚のパネル２３，２４の接合には、公知のノックダウン金物３０が使用されている。ノックダウン金物３０は、連結ボルト３２と、この連結ボルト３２の先端係止部３２ａを、所定量引き込むとともに、さらに締め込んで堅固な締め付け状態を確保可能なだけの接合距離を有する螺旋状部が内部に形成され、孔２４ｈ内に収容されたケーシング３１とから構成されている。図８各図では、Ｔ字形接合を可能にするために、連結ボルト３２には締め込み時に板面を押圧可能なエンドボルトが使用されている。なお、ノックダウン金物３０を用いた組み立て作業では、たとえばドライバーや六角レンチ等の単一の工具で使って各金物による接合作業を行うので、きわめて効率的に接合作業を行える。
【００３４】
図９（ａ）は、２枚の積層板材２３ａ，２３ｂの端面を面接合する接合構造の断面を示している。この接合構造は、たとえば図２（ｂ）に示した側面パネル２１を構成するために各積層板材を接合する場合や、図４（ｂ−１），（ｂ−２）等に簡略的に示した２枚の対称形の積層板材の端面同士を接合して所望のパネル（前面パネル２３、屋根パネル２２、床面パネル２４等）を組み立てる際に利用される。この端面接合の場合には、図９（ｂ）に示したように、両端に先端係止部３３ａが形成されたダブルボルト３３を用いて、ダブルボルト３３の両端を、それぞれの積層板材２３ａ，２３ｂに設けられた２個のケーシング３１で軸方向に引き込んで更に締め込むことにより、強固な端面接合が果たせる。
【００３５】
（積層板材、接合部品の代替材料）
以上の説明では、各パネルを構成する積層板材の材料として厚さ９mmの合板を使用したが、これ以外に板材として所定の加工が容易で、運搬が容易な軽量な代替材料として、各種合成樹脂製板、繊維補強プラスチック（ＦＲＰ）、アルミニウム板等を使用することができる。これらの材料の場合、強度が確保できれば、中実部材でなく、箱形断面等の中空成形品を使用することもできる。また、接合部品としては、引き込み量、締め込み性能を満たせば、公知の各種ノックダウン金物を使用できるが、従来のボルト、ナット、結束バンド、ロープ等の締着手段を用いてもよいことは言うまでもない。
【００３６】
［キットハウスの発展形モジュールの実施例］
以上の説明では、基本モジュール２０Ａ（図１０（ａ））のもととなる、図１に示したパネルフレーム２０を構成する各部材の構成について説明したが、この基本モジュール２０Ａをもとに、居住性を高めるために拡張された発展形モジュールの実施例について、図１０各図を参照して説明する。
【００３７】
（内装設備）
図１０（ａ）は基本モジュールの両側にサブモジュール２０Ｂ，２０Ｃを連結した構造からなるキットハウス１０の床面レベルでの平面図を示している。図１０（ｂ）はサブモジュール２０Ｂ，２０Ｃ内に配置された内装設備の一例を示したレイアウト図である。同図に示したように、片方のサブモジュール２０Ｂはキッチンとして機能するために、シンク４０とコンロ４１とを備えたテーブル（調理台）４２が設けられている。
【００３８】
キットハウスの設置環境に応じて、設備の仕様を設定することが好ましい。外部からの供給源がないか、不要な場合には、カセットコンロ、貯槽可能なポータブルトイレ等を設置する。また、近隣においてインフラが整備されている地域であれば、外部から水道およびガスの供給を受けることもできるが、キットハウスのコンセプトとしてのゼロエミッションの観点から、周辺環境に変化、影響を与えない、独立した設備等を備えることが好ましい。
【００３９】
具体的な内装設備として、コンロ４１を設置する位置の壁面には防火材料で壁面を構成するようにする。他方のサブモジュール２０Ｃ内にはバスタブ４５とトイレユニット４６とが配置されている。バスタブ４５に溜める水も外部の供給設備から得る。トイレユニット４６にはタンク式トイレあるいは簡易水洗可能なポータブルトイレを使用することが好ましい。図１１は、図１０（ｂ）に示したバスタブ４５とトイレユニット４６の配置状態を示している。図示したように、両者とも床下空間内に納まる設計となっている。バスタブ４５の設置に関しては、満水時の荷重を負担できるように、補剛材によるフレーム増強を図ることが好ましい。また、トイレユニット４６に関しては、ハウスの外装の一部にタンクを搬出できる開口等を設けることが好ましい。
【００４０】
（外装設備）
キットハウスを利用するために、基本モジュールの外部に、アクセスのためや、ハウス外でくつろぐための設備を外付けすることが好ましい。ここでは、これらを外装設備と呼ぶ。外装設備としては、たとえば、図１０（ａ），（ｃ）に示したように、前面パネルからの出入りを容易にする、たとえばウッドデッキ４７を、基本モジュール２０Ａの前面側から張り出すように設置する。このウッドデッキ４７は、図１１に示したように、組み立て取り付け可能な金属パイプ製のブラケット等でパネルフレームの一部で支持することができる。また、このウッドデッキ４７へ地上から昇るために、取り外し可能な簡易な構造のステップ４８を設ける。さらに、ウッドデッキ４７上に据え付けテーブル４９などを設置することも好ましい。これらの外装設備は、運搬可能な程度に折り畳みあるいは解体することができる。そして、現地においては、各部材間をワンタッチジョイント等で連結して所定の形状に容易に組み立ててキットハウスに付属させることができる。
【００４１】
［第２の実施形態］
図１２各図は、第２の実施形態としてのモバイルキットハウス５０の構成を示した斜視図である。図１２（ａ）は、キットハウス５０の前面に設けられた可動パネル５５（図１３）を立ててキットハウス５０を組み立て、さらにキットハウス５０の前面にタープ５１を張りだして使用している状態を示した斜視図である。この実施形態は、図１３（ａ）に示したように、前面パネル５３の上半部分に相当する部分と、屋根パネル５２の前面側部分とを一体化した可動パネル５５を有し、この可動パネル５５を、前面支持パネル５４とヒンジ部５７によって連結し、パネルフレームの一部を折り畳み可能なモノコック構造としている。
【００４２】
図１２（ｂ）は、可動パネル５５（図１３）を前面支持パネル位置で折り畳み、前面パネル上半部と屋根パネル５２の一部とをハウス内に畳み込み、その上から防水オーニング５９で覆ったキットハウス５０の格納状態を示している。同図に示したように、この実施形態で示したキットハウスは、不使用時にはパネルの一部を格納してコンパクトな形態とすることができる。このような折り畳み構造を備えることにより、たとえば週末のみに使用するような利用形態の場合に、キットハウスの傷みを最小限にすることができ、キットハウスを長期にわたり維持することができる。
【００４３】
図１３（ａ）、（ｂ）は上述した可動パネル５５の組み立て時、格納時におけるパネルフレーム２０の状態を示した側面図である。可動パネル５５は、下端が床面パネルより上側の前面に立設された前面支持パネル５４の上端にヒンジ５７で回動可能に接合され、このヒンジ５７回りに矢印方向に回動させることで、前面パネルと屋根パネル５２の前面側とを所定位置まで起立あるいは格納させることができる。起立位置でヒンジ５７を図示しないロック機構で固定することで、図１３（ａ）に示した組み立て状態が保持される。このとき屋根パネル５２の後端側と背面パネル５６との間には、膜屋根５９が張設されるようになっている。膜屋根５９は可動パネル５５の上端部に水密性を保持して取り付けておき、可動パネル５５を起立させた際に、背面パネル５６側に、防水性を保持した状態で所定の張力を加えて張設させることで屋根全体を覆うことができる。なお、可動パネル５５の起立時の安定性の保持のために、可動パネル５５と背面パネル５６との間に、内装梁５８を架設することが好ましい。
【００４４】
図１３（ｂ）は、可動パネル５５をヒンジ５７で折り畳んだ状態を示したキットハウス５０の格納状態を示している。この状態で、可動パネル５５を固定して、図１２（ｂ）に示したように、全体を防水オーニング５９で覆うことで、不使用時にハウスおよび内部設備を安全に保管することができる。なお、可動パネル５５を有する以外は、キットハウス５０内のレイアウトは、図１０（ｂ）に示したものと同等の設備を有するように設計できることはいうまでもない。
【００４５】
［第３の実施形態］
以上の実施形態では、キットハウスを組み立てて基礎で地盤面に安定支持させる例について説明したが、このキットハウスは居住空間がパネルフレームで確保されたモノコック構造からなるため、このモノコック構造を支持する形態として、図１４，図１５に示したような状況を想定した利用形態が見込まれる。図１４は、キットハウス６０を双胴のフロート６１上に設置した、いわゆるボートハウスとして利用した例を示している。このキットハウス６０は、湖畔等に係留して利用したり、ボートで曳航して岸から離れた水上でアンカリングして利用することもできる。
【００４６】
図１５は、スレッド（そり）６６でキットハウス６５を支持させた利用形態を示している。このキットハウス６５は、スレッド６６を装着しているため、雪道やスキー場等において、雪上車等で牽引して移動できる。また、設営地では、スレッド６６をスノーアンカー（図示せず）等で雪面に堅固に固定する。そしてレストハウスとして居住できる他、スキーエリアでの簡易店舗等としても利用することができる。
【００４７】
なお、本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００４８】
１  地盤
２  基礎
５  アンカーケーブル
１０，５０，６０，６５  キットハウス
１１，１３  面材（外装材）
２０  パネルフレーム
２１  側面パネル
２２  屋根パネル
２３  前面パネル
２４  床面パネル
２５  床下パネル
２６  背面パネル
２７  底面パネル
３０  ノックダウン金物
５５  可動パネル
【図１】
2013238080.tif 000003
【図２】
2013238080.tif 000004
【図３】
2013238080.tif 000005
【図４】
2013238080.tif 000006
【図５】
2013238080.tif 000007
【図６】
2013238080.tif 000008
【図７】
2013238080.tif 000009
【図８】
2013238080.tif 000010
【図９】
2013238080.tif 000011
【図１０】
2013238080.tif 000012
【図１１】
2013238080.tif 000013
【図１２】
2013238080.tif 000014
【図１３】
2013238080.tif 000015
【図１４】
2013238080.tif 000016
【図１５】
2013238080.tif 000017